(57)【要約】【課題】  発熱を伴うアーク放電現象の発生を簡易な構成により検出し回路側コネクタ等の熱損傷等を防止する。【解決手段】  回路側コネクタ７に、回路側コネクタにおいて生じる熱を検出して温度情報として取得する熱検出センサ９を組み込んでおき、回路側コネクタで生じる熱を温度情報として取得し、電圧監視保護回路１１によってアーク放電現象の検出の判定を行うことにより異常検出信号を出力し、異常検出信号の出力時にはインバータ回路８を停止させてランプ４への電源の供給を停止する。このように構成することにより回路側コネクタにおいてアーク放電現象が発生しても当該現象が迅速に消失し、ランプ側コネクタ、回路側コネクタ及びインバータ回路の熱損傷を防止できると共に発煙、発火、異臭の発生を防止することができる。【選択図】図２
2012109188.tif 000002
【特許請求の範囲】
【請求項１】
交流電圧の供給を行うインバータ回路と、
ランプに接続されたランプ側コネクタが結合可能とされ前記インバータ回路に接続された回路側コネクタと、
前記回路側コネクタにおいて生じる熱を検出して温度情報として取得すると共に前記回路側コネクタの内部に配置された熱検出センサと、
前記熱検出センサによって取得された温度情報に基づいて出力されるセンス電圧が定められた設定範囲外である場合に異常検出信号を出力する電圧監視保護回路とを備え、
前記電圧監視保護回路から前記異常検出信号が出力されたときに前記インバータ回路からの交流電圧の供給を遮断するようにした
電源回路装置。
【請求項２】
前記熱検出センサとして温度変化に応じて電気抵抗が変化するサーミスタを用い、
前記熱検出センサが一対の端子を有し、
前記熱検出センサによって取得された温度情報に基づいて前記熱検出センサの一対の端子の間の電気抵抗値が変化するようにした
請求項１に記載の電源回路装置。
【請求項３】
前記熱検出センサと前記電圧監視保護回路の間にノイズ除去回路を設けた
請求項１に記載の電源回路装置。
【請求項４】
前記熱検出センサとしてバイメタルを有する金属端子の接点構造を用い、
前記金属端子の接点構造が切断されたときに前記異常検出信号が出力されるようにした
請求項１に記載の電源回路装置。
【請求項５】
前記回路側コネクタが一対の接続端子を有し、
前記熱検出センサが前記一対の接続端子の間に配置された
請求項１に記載の電源回路装置。
【請求項６】
前記電圧監視保護回路が基準電圧となる比較電圧と前記センス電圧を比較判定するコンパレータを有し、
前記比較電圧に対する前記コンパレータに入力される前記センス電圧の大きさに応じて前記異常検出信号が出力されるようにした
請求項１に記載の電源回路装置。
【請求項７】
前記電圧監視保護回路がＭＯＳトランジスタを有し、
閾値電圧に対する前記ＭＯＳトランジスタに入力される前記センス電圧の大きさに応じて前記異常検出信号が出力されるようにした
請求項１に記載の電源回路装置。
【請求項８】
前記熱検出センサと接地端子の間に高圧側抵抗と低圧側抵抗を直列に接続し、
前記高圧側抵抗と前記低圧側抵抗の間の電圧が所定の電圧である場合には前記異常検出信号が出力されるようにした
請求項１に記載の電源回路装置。
【請求項９】
画像を表示するディスプレイと、
バックライトとして機能し前記ディスプレイに向けて光を照射するランプと、
前記ランプが接続されたランプ側コネクタと、
交流電圧の供給を行うインバータ回路と、
前記ランプ側コネクタが結合可能とされ前記インバータ回路に接続された回路側コネクタと、
前記回路側コネクタにおいて生じる熱を検出して温度情報として取得すると共に前記回路側コネクタの内部に配置された熱検出センサと、
前記熱検出センサによって取得された温度情報に基づいて出力されるセンス電圧が定められた設定範囲外である場合に異常検出信号を出力する電圧監視保護回路とを備え、
前記電圧監視保護回路から前記異常検出信号が出力されたときに前記インバータ回路からの交流電圧の供給を遮断するようにした
表示装置。
【発明の詳細な説明】
【技術分野】
【０００１】
本発明は電源回路装置及び表示装置についての技術分野に関する。詳しくは、回路側コネクタの内部に熱検出センサを配置して発熱を伴うアーク放電現象の発生を簡易な構成により検出し回路側コネクタ等の熱損傷等を防止する技術分野に関する。
【背景技術】
【０００２】
バックライトから出射された光を液晶ディスプレイ等の表示部に照射して画像を表示するテレビジョン受像機等の表示装置がある。
【０００３】
このような表示装置においては、一般に、バックライトとして機能する、例えば、冷陰極管等のランプがワイヤーハーネスによってランプ側コネクタに接続されており、インバータ回路に接続された回路側コネクタにランプ側コネクタが接続されている。
【０００４】
ところで、表示装置に振動が生じたりコネクタの結合作業においてコネクタ同士の結合状態が不完全であると、各コネクタのハウジング同士は結合されているが、ハウジングの内部に配置された端子同士が接続されていない状態が生じるおそれがある。
【０００５】
上記したコネクタの端子同士が接続されていない状態でランプに電源が供給されてしまうとコネクタの内部において端子間でアーク放電現象が起こり、アーク放電現象に伴う発熱により発煙や異臭、基板やコネクタの熱損傷等の不具合が生じるおそれがある。
【０００６】
このような不具合の発生を防止するための技術として、コネクタの構造にロック機構を設けてコネクタの結合不良を防ごうとするものがあるが、コネクタ同士の結合作業においてロックが不完全な場合には、やはり上記の不具合が生じるおそれがある。
【０００７】
そこで、アーク放電現象に伴って発生するノイズを検出するノイズ検出回路を設け、アーク放電現象の発生を検出したときにランプへの電源の供給を停止して上記のような不具合の発生を防止する方法がある（例えば、特許文献１参照）。
【０００８】
【特許文献１】特開２００７−１８８６５９号公報
【発明の開示】
【発明が解決しようとする課題】
【０００９】
しかし、上記したノイズ検出回路を用いた方法では、ノイズ検出回路の構成が複雑であり、コストの高騰を来たすという問題がある。
【００１０】
そこで、本発明電源回路装置及び表示装置は、上記した問題点を克服し、発熱を伴うアーク放電現象の発生を簡易な構成により検出しコネクタの熱損傷等の防止を図ることを課題とする。
【課題を解決するための手段】
【００１１】
電源回路装置は、上記した課題を解決するために、交流電圧の供給を行うインバータ回路と、ランプに接続されたランプ側コネクタが結合可能とされ前記インバータ回路に接続された回路側コネクタと、前記回路側コネクタにおいて生じる熱を検出して温度情報として取得すると共に前記回路側コネクタの内部に配置された熱検出センサと、前記熱検出センサによって取得された温度情報に基づいて出力されるセンス電圧が定められた設定範囲外である場合に異常検出信号を出力する電圧監視保護回路とを備え、前記電圧監視保護回路から前記異常検出信号が出力されたときに前記インバータ回路からの交流電圧の供給を遮断するものである。
【００１２】
従って、電源回路装置にあっては、回路側コネクタにおける熱の発生が停止される。
【００１３】
上記した電源回路装置においては、前記熱検出センサとして温度変化に応じて電気抵抗が変化するサーミスタを用い、前記熱検出センサが一対の端子を有し、前記熱検出センサによって取得された温度情報に応じて前記熱検出センサの一対の端子の間の電気抵抗値が変化することが望ましい。
【００１４】
熱検出センサにサーミスタを用いることによって、熱検出センサによって取得した温度情報に応じて変動するアナログの値を持つセンス電圧が出力される。
【００１５】
上記した電源回路装置においては、前記熱検出センサと前記電圧監視保護回路の間にノイズ除去回路を設けることが望ましい。
【００１６】
熱検出センサと電圧監視保護回路の間にノイズ除去回路を設けることにより、センス電圧の高周波ノイズ成分が除去される。
【００１７】
上記した電源回路装置においては、前記熱検出センサとしてバイメタルを有する金属端子の接点構造を用い、前記金属端子の接点構造が切断されたときに前記異常検出信号が出力されることが望ましい。
【００１８】
熱検出センサとしてバイメタルを有する金属端子の接点構造を用いることにより、高温時にバイメタルを有する金属端子が非接触となる方向に変形した時にセンス電圧が低下する。
【００１９】
上記した電源回路装置においては、前記回路側コネクタが一対の接続端子を有し、前記熱検出センサが前記一対の接続端子の間に配置されることが望ましい。
【００２０】
熱検出センサが一対の接続端子の間に配置されることにより、いずれかの接続端子で発熱が生じても温度情報として検出される。
【００２１】
上記した電源回路装置においては、前記電圧監視保護回路が基準電圧となる比較電圧と前記センス電圧を比較判定するコンパレータを有し、前記比較電圧に対する前記コンパレータに入力される前記センス電圧の大きさに応じて前記異常検出信号が出力されることが望ましい。
【００２２】
電圧監視保護回路が基準電圧となる比較電圧とセンス電圧を比較判定するコンパレータを有することにより、センス電圧と比較電圧を比較して判定を行い異常検出信号が出力される。
【００２３】
上記した電源回路装置においては、前記電圧監視保護回路がＭＯＳトランジスタを有し、閾値電圧に対する前記ＭＯＳトランジスタに入力される前記センス電圧の大きさに応じて前記異常検出信号が出力されることが望ましい。
【００２４】
電圧監視保護回路がＭＯＳトランジスタを有することにより、センス電圧とＭＯＳトランジスタの閾値電圧を比較して判定を行い異常検出信号が出力される。
【００２５】
上記した電圧監視保護回路においては、前記熱検出センサと接地端子の間に高圧側抵抗と低圧側抵抗を直列に接続し、前記高圧側抵抗と前記低圧側抵抗の間の電圧が所定の電圧である場合には前記異常検出信号が出力されることが望ましい。
【００２６】
電圧監視保護回路が高圧側抵抗と低圧側抵抗を有することにより、センス電圧と高圧側抵抗及び低圧側抵抗で定められる電圧とを比較して判定を行い異常検出信号が出力される。
【００２７】
表示装置は、上記した課題を解決するために、画像を表示するディスプレイと、バックライトとして機能し前記ディスプレイに向けて光を照射するランプと、前記ランプが接続されたランプ側コネクタと、交流電圧の供給を行うインバータ回路と、前記ランプ側コネクタが結合可能とされ前記インバータ回路に接続された回路側コネクタと、前記回路側コネクタにおいて生じる熱を検出して温度情報として取得すると共に前記回路側コネクタの内部に配置された熱検出センサと、前記熱検出センサによって取得された温度情報に基づいて出力されるセンス電圧が定められた設定範囲外である場合に異常検出信号を出力する電圧監視保護回路とを備え、前記電圧監視保護回路から前記異常検出信号が出力されたときに前記インバータ回路からの交流電圧の供給を遮断するものである。
【００２８】
従って、表示装置にあっては、回路側コネクタにおける熱の発生が停止される。
【発明の効果】
【００２９】
本発明電源回路装置にあっては、交流電圧の供給を行うインバータ回路と、ランプに接続されたランプ側コネクタが結合可能とされ前記インバータ回路に接続された回路側コネクタと、前記回路側コネクタにおいて生じる熱を検出して温度情報として取得すると共に前記回路側コネクタの内部に配置された熱検出センサと、前記熱検出センサによって取得された温度情報に基づいて出力されるセンス電圧が定められた設定範囲外である場合に異常検出信号を出力する電圧監視保護回路とを備え、前記電圧監視保護回路から前記異常検出信号が出力されたときに前記インバータ回路からの交流電圧の供給を遮断するようにしている。
【００３０】
従って、回路側コネクタにおいてアーク放電現象が発生しても当該現象が迅速に消失し、ランプ側コネクタ、回路側コネクタ及びインバータ回路の熱損傷を防止できると共に発煙、発火、異臭の発生を防止することができる。
【００３１】
請求項２に記載した発明にあっては、前記熱検出センサとして温度変化に応じて電気抵抗が変化するサーミスタを用い、前記熱検出センサが一対の端子を有し、前記熱検出センサによって取得された温度情報に応じて前記熱検出センサの一対の端子の間の電気抵抗値が変化するようにしている。
【００３２】
従って、回路側コネクタの温度情報をアナログ値を持つセンス電圧として得られるので、熱検出センサにより詳細な温度情報の検出を行うことが出来る。
【００３３】
請求項３に記載した発明にあっては、前記熱検出センサと前記電圧監視保護回路の間にノイズ除去回路を設けている。
【００３４】
従って、ノイズの抑制により熱検出センサと電圧監視保護回路の誤動作を防止することが出来る。
【００３５】
請求項４に記載した発明にあっては、前記熱検出センサとしてバイメタルを有する金属端子の接点構造を用い、前記金属端子の接点構造が切断されたときに前記異常検出信号が出力されるようにしている。
【００３６】
従って、サーミスタを用いる場合に比べて低コスト化を図ることが可能である。
【００３７】
請求項５に記載した発明にあっては、前記回路側コネクタが一対の接続端子を有し、前記熱検出センサが前記一対の接続端子の間に配置されている。
【００３８】
従って、回路側コネクタの端子が複数設けられた場合においても熱検出センサの数を減じて製造コストの低減を図ることが出来る。
【００３９】
請求項６に記載した発明にあっては、前記電圧監視保護回路が基準電圧となる比較電圧と前記センス電圧を比較判定するコンパレータを有し、前記比較電圧に対する前記コンパレータに入力される前記センス電圧の大きさに応じて前記異常検出信号が出力されるようにしている。
【００４０】
従って、電圧監視保護回路においてセンス電圧を比較電圧と比較することによりアーク放電現象の検出を行うため、検出に関する条件設定を比較電圧の値を変更するという簡易な方法により行うことが出来る。
【００４１】
請求項７に記載した発明にあっては、前記電圧監視保護回路がＭＯＳトランジスタを有し、閾値電圧に対する前記ＭＯＳトランジスタに入力される前記センス電圧の大きさに応じて前記異常検出信号が出力されるようにしている。
【００４２】
従って、ＭＯＳトランジスタがセンス電圧の比較対象となる電圧（閾値電圧）を予め有しているため、回路の構成を簡易なものとすることが出来る。
【００４３】
請求項８に記載した発明にあっては、前記熱検出センサと接地端子の間に高圧側抵抗と低圧側抵抗を直列に接続し、前記高圧側抵抗と前記低圧側抵抗の間の電圧が所定の電圧である場合には前記異常検出信号が出力されるようにしている。
【００４４】
従って、電圧監視保護回路の構成を受動素子のみとすることが可能であり、部品点数の削減やコストの低減を図ることが出来る。
【００４５】
本発明表示装置にあっては、画像を表示するディスプレイと、バックライトとして機能し前記ディスプレイに向けて光を照射するランプと、前記ランプが接続されたランプ側コネクタと、交流電圧の供給を行うインバータ回路と、前記ランプ側コネクタが結合可能とされ前記インバータ回路に接続された回路側コネクタと、前記回路側コネクタにおいて生じる熱を検出して温度情報として取得すると共に前記回路側コネクタの内部に配置された熱検出センサと、前記熱検出センサによって取得された温度情報に基づいて出力されるセンス電圧が定められた設定範囲外である場合に異常検出信号を出力する電圧監視保護回路とを備え、前記電圧監視保護回路から前記異常検出信号が出力されたときに前記インバータ回路からの交流電圧の供給を遮断するようにしている。
【００４６】
従って、回路側コネクタにおいてアーク放電現象が発生しても当該現象が迅速に消失し、ランプ側コネクタ、回路側コネクタ及びインバータ回路の熱損傷を防止できると共に発煙、発火、異臭の発生を防止することができる。
【発明を実施するための最良の形態】
【００４７】
以下、図面を参照して、本発明を実施するための最良の形態（以下、単に実施の形態と称する。）について詳細に説明する。
【００４８】
以下に示す実施の形態は本発明表示装置をテレビジョン受像機に適用し、本発明電源回路装置をこのテレビジョン受像機に備えられた電源回路装置に適用したものである。
【００４９】
なお、本発明表示装置及び電源回路装置の適用範囲はテレビジョン受像器及びこれに備えられた電源回路装置に限られることはなく、ビデオカメラやスチルカメラ等の撮像機器、携帯電話等の通信機器、パーソナルコンピューター等の情報処理機器等の各種の電子機器に用いられる各種の表示装置及びこれらの表示装置に備えられた各種の電源回路装置に広く適用することができる。
【００５０】
［表示装置の構成］
表示装置（テレビジョン受像機）１は、例えば、図1に示すように、前後に扁平な前方に開口された箱状に形成された筐体２と、筐体２の開口を内側から閉塞する位置に配置された画像を表示するディスプレイ３と、ディスプレイ３のバックライトとして機能するランプ４、４と、ランプ４、４に電源の供給を行うための後述する電源回路装置とを備えている。
【００５１】
ディスプレイ３としては、例えば、液晶ディスプレイが用いられる。ランプ４としては、例えば、冷陰極蛍光ランプ（ＣＣＦＬ：Cold Cathode Fluorescent Lamp）や発光ダイオード（ＬＥＤ：Light Emitting Diode）等が用いられる。
【００５２】
表示装置１においては、電源回路装置からランプ４、４に電源が供給されてランプ４、４から光がディスプレイ３へ向けて出射され、ディスプレイ３に画像が表示される。
【００５３】
ランプ４、４はそれぞれワイヤーハーネスを介してランプ側コネクタ５に接続されている（図２参照）。ランプ側コネクタ５は樹脂材料によって形成されたボディ５ａと金属材料によって形成された接点端子５ｂ、５ｂとを有している（図２及び図３参照）。
【００５４】
［電源回路装置の構成］
電源回路装置６は、回路側コネクタ７とインバータ回路８と熱検出センサ９とノイズ除去回路１０と電圧監視保護回路１１を備えている（図２参照）。
【００５５】
回路側コネクタ７は、ランプ側コネクタ５と嵌合する形状に樹脂材料によって形成されたハウジング７ａと金属材料によって形成された接続端子７ｂ、７ｂとを有している（図２及び図３参照）。
【００５６】
インバータ回路８は、トランス等によって構成され、図２に示すように、ランプ４、４を点灯させるための高圧の交流電圧を供給する駆動回路１２と、駆動回路１２の動作を制御するインバータ制御ＩＣ１３と、熱検出センサ９に直流電圧を供給するＤＣ電源１４とを有している。
【００５７】
熱検出センサ９は、一対の端子９ａ、９ａを有している。熱検出センサ９は回路側コネクタ７の内部に配置されており、回路側コネクタ７において生じる熱を検出して温度情報を取得する機能を有している。
【００５８】
熱検出センサ９としては、例えば、ＰＴＣ（Positive Temperature Coefficient）サーミスタが用いられ、ＰＴＣサーミスタは、常温では電気抵抗が低く、所定の温度に達すると急激に電気抵抗が増大する特性を有している。ＰＴＣサーミスタは、ＤＣ電源１４からの入力電圧を、電気抵抗による電圧降下によって上記した温度情報に応じて変動するアナログの値を持つセンス電圧に変換して出力する。
【００５９】
ノイズ除去回路１０は、熱検出センサ９と電圧監視保護回路１１の間に配置され、センス電圧の高周波ノイズ成分を除去する機能を有している。従って、ノイズ除去回路１０が配置されていることにより、駆動回路１２から供給される高圧の交流電圧の熱検出センサ９と電圧監視保護回路１１に対する影響を低減することができ、ノイズの抑制により熱検出センサ９と電圧監視保護回路１１の誤動作を防止することが出来る。
【００６０】
電圧監視保護回路１１は、図４に示すように、ノイズ除去回路１０と接地端子Ｇの間に直列に接続される高圧側抵抗１５及び低圧側抵抗１６と、コンパレータ１７と、コンデンサ１８とを有している。電圧監視保護回路１１はセンス電圧とコンパレータ１７に入力される比較電圧とを比較し、センス電圧が比較電圧よりも低いと判別した時に、異常検出信号をインバータ制御ＩＣ１３へ出力する。
【００６１】
［電源回路装置の動作］
表示装置１において、ランプ側コネクタ５と回路側コネクタ７が結合されている時には、接点端子５ｂ、５ｂと接続端子７ｂ、７ｂがそれぞれ接続され、インバータ回路８の駆動回路１２から交流電圧が回路側コネクタ７及びランプ側コネクタ５を介してランプ４、４に供給されランプ４、４からディスプレイ３へ向けて光が出射される。
【００６２】
このとき、表示装置１に振動が生じたり、ランプ側コネクタ５と回路側コネクタ７の結合作業において結合状態が不完全であると、ボディ５ａとハウジング７ａ同士は結合されているが、接点端子５ｂ、５ｂと接続端子７ｂ、７ｂが接続されていない状態が生じるおそれがある。
【００６３】
接点端子５ｂ、５ｂと接続端子７ｂ、７ｂが接続されていない状態で駆動回路１２から交流電圧が供給されてしまうと、接点端子５ｂ、５ｂと接続端子７ｂ、７ｂの間でアーク放電現象が発生し、その現象に伴って回路側コネクタ７の内部において熱が発生し内部温度が上昇する。
【００６４】
このとき熱検出センサ９によって回路側コネクタ７の内部において発生した熱が検出されており、熱検出センサ９は回路側コネクタ７の内部温度の上昇により高抵抗となり、接点端子５ｂ、５ｂと接続端子７ｂ、７ｂが接続されている正常駆動時の温度状態の時よりも低下したセンス電圧が電圧監視保護回路１１に出力される。
【００６５】
熱検出センサ９から電圧監視保護回路１１にセンス電圧が入力されると、入力されたセンス電圧がコンパレータ１７に入力される比較電圧よりも低いため、電圧監視保護回路１１からＬｏｗレベルの信号が異常検出信号としてインバータ制御ＩＣ１３に出力される。
【００６６】
インバータ制御ＩＣ１３は、異常検出信号が入力されると駆動回路１２を停止させ、駆動回路１２からのランプ４、４への電源（交流電圧）の供給が停止される。
【００６７】
従って、回路側コネクタ７においてアーク放電現象が発生しても当該現象が迅速に消失し、ランプ側コネクタ５、回路側コネクタ７及びインバータ回路８の熱損傷を防止できると共に発煙、発火、異臭の発生を防止することができる。
【００６８】
また、電圧監視保護回路１１にあっては、アーク放電現象の検出を回路側コネクタ７の温度情報を監視することにより行っており、駆動回路１２の駆動電圧を監視することにより行ってはいないので、正常駆動時のランプ４の発光に伴って発生するノイズ等を誤って検出することがなく、アーク放電現象の検出を簡易な構成により確実に行うことができる。また、正常駆動時は回路側コネクタ７において発熱がほとんど生じずアーク放電現象の発生時と正常駆動時の温度差が大きいため、確実にアーク放電現象の検出を行うことが出来る。
【００６９】
さらに、電圧監視保護回路１１においてセンス電圧を比較電圧と比較することによりアーク放電現象の検出を行っているため、検出に関する条件設定を比較電圧の値を変更するという簡易な方法により行うことが出来る。
【００７０】
なお、上記には、熱検出センサ９としてＰＴＣサーミスタを用いた例を示したが、熱検出センサ９はＰＴＣサーミスタに限られることはなく、例えば、ＮＴＣ（Negative Temperature Coefficient）サーミスタやＣＴＲ（Critical Temperature Resistor）サーミスタを用いることも出来る。この場合には、電圧監視保護回路１１における判別動作においてＰＴＣサーミスタの場合とは逆に、コンパレータ１７に入力されるセンス電圧が比較電圧よりも高いと判別されたときに異常検出信号が出力される。
【００７１】
熱検出センサ９に上記した各種のサーミスタを用いることにより、回路側コネクタ７の温度情報をアナログ値を持つセンス電圧として得られるので、熱検出センサ９により詳細な温度情報の検出を行うことが出来る。
【００７２】
［実施の形態の変形例（変形例１）］
以下に、変形例に係る電源回路装置６Ａについて説明する（図５参照）。なお、以下に示す電源回路装置６Ａは、上記した電源回路装置６と比較して、電圧監視保護回路の構成が異なることのみが相違するため、電源回路装置６と比較して異なる部分についてのみ詳細に説明をし、その他の部分については電源回路装置６における同様の部分に付した符号と同じ符号を付して説明は省略する。
【００７３】
電源回路装置６Ａに設けられた電圧監視保護回路１１Ａは、高圧側抵抗１５と低圧側抵抗１６とＰチャネルＭＯＳトランジスタ１９とコンデンサ１８とプルアップ抵抗２０を有している。
【００７４】
電圧監視保護回路１１Ａは、ノイズ除去回路１０と接地端子Ｇの間に高圧側抵抗１５と低圧側抵抗１６が直列に接続され、高圧側抵抗１５と低圧側抵抗１６の接続点ＳとがＰチャネルＭＯＳトランジスタ１９のゲート端子に接続され、ＰチャネルＭＯＳトランジスタ１９のソース端子が接地端子に接続され、ＰチャネルＭＯＳトランジスタ１９のドレイン端子出力がインバータ制御ＩＣ１３の入力とされている。また、プルアップ抵抗２０は、インバータ制御ＩＣ１３の電源端子とインバータ制御ＩＣの入力端子との間に直列に接続されている。
【００７５】
電源回路装置６Ａにおいて、回路側コネクタ７の内部でアーク放電現象が発生すると、熱検出センサ９は回路側コネクタ７の内部温度の上昇により高抵抗となり、正常駆動時の温度状態の時よりも低下したセンス電圧が電圧監視保護回路１１Ａに出力される。
【００７６】
熱検出センサ９から電圧監視保護回路１１Ａにセンス電圧が入力されると、センス電圧がＰチャネルＭＯＳトランジスタ１９の閾値電圧よりも低いため、電圧監視保護回路１１Ａから異常検出信号としてインバータ制御ＩＣ１３にＬｏｗレベルの信号が出力される。
【００７７】
インバータ制御ＩＣ１３は、異常検出信号が入力されると駆動回路１２を停止させ、駆動回路１２からのランプ４、４への電源（交流電圧）の供給が停止される。
【００７８】
このように電源回路装置６Ａにあっては、ＰチャネルＭＯＳトランジスタ１９がセンス電圧の比較対象となる電圧（閾値電圧）を予め有しているため、回路の構成を簡易なものとすることが出来る。
【００７９】
［実施の形態の変形例（変形例２）］
次に、別の変形例に係る電源回路装置６Ｂについて説明する（図６参照）。なお、以下に示す電源回路装置６Ｂは、上記した電源回路装置６と比較して、熱検出センサと電圧監視保護回路の構成が異なることのみが相違するため、電源回路装置６と比較して異なる部分についてのみ詳細に説明をし、その他の部分については電源回路装置６における同様の部分に付した符号と同じ符号を付して説明は省略する。
【００８０】
電源回路装置６Ｂに設けられた電圧監視保護回路１１Ｂは、高圧側抵抗１５と低圧側抵抗１６とコンデンサ１８を有しており、コンパレータやトランジスタが設けられていない構成とされている。また、熱検出センサ９Ｂとして熱検出ヒューズが用いられている。
【００８１】
電圧監視保護回路１１Ｂは、熱検出センサ９Ｂと接地端子Ｇの間に高圧側抵抗１５と低圧側抵抗１６が直列に接続され、高圧側抵抗１５と低圧側抵抗１６の接続点Ｓが電圧監視保護回路１１Ｂの出力端子にされている。
【００８２】
電源回路装置６Ｂにおいて、回路側コネクタ７の内部でアーク放電現象が発生すると、回路側コネクタ７の内部温度の上昇により熱検出センサ９Ｂ（熱検出ヒューズ）が高熱によって溶断され、ＤＣ電源１４からの電源（監視電圧）の供給が遮断されて高圧側抵抗１５と低圧側抵抗１６の間の接続点Ｓの電圧が接地レベルに低下する。接続点Ｓの電圧が接地レベルに低下すると、電圧監視保護回路１１Ｂから異常検出信号としてＬｏｗレベル信号がインバータ制御ＩＣ１３に出力される。
【００８３】
インバータ制御ＩＣ１３は、異常検出信号が入力されると駆動回路１２を停止させ、駆動回路１２からのランプ４、４への電源（交流電圧）の供給が停止される。
【００８４】
このように電源回路装置６Ｂにあっては、電圧監視保護回路１１Ｂを受動素子のみで構成することが可能であるため、回路の構成を大幅に簡略化することが可能であり、部品点数の削減やコストの低減を図ることが出来る。
【００８５】
［その他］
上記した電圧監視保護回路１１、１１Ａ、１１Ｂにおいては、ノイズ除去回路１０を設けた例を示したが、例えば、高圧側抵抗１５と片側を接地されたコンデンサ１８とによって構成されたＲＣローパスフィルタ回路をノイズ除去回路として構成することも可能である。
【００８６】
このようにＲＣローパスフィルタ回路をノイズ除去回路として構成することにより、簡易な構成によってセンス電圧のノイズの除去を行うことが可能であり、部品点数の削減やコストの低減を図ることが出来る。但し、ノイズ除去回路１０に加えＲＣローパスフィルタ回路によって構成されたノイズ除去回路を設けることにより、ノイズの除去を確実に行うことが出来る。
【００８７】
また、熱検出センサ９としては上記した各種のサーミスタや熱検出ヒューズの他に、例えば、バイメタルを用いたスイッチ構造のいわゆるサーモスタットを用いることも可能である。
【００８８】
例えば、熱検出センサ９の一対の端子９ａ、９ａをそれぞれバイメタルによって形成し、通常の動作時には一対の端子９ａ、９ａが接しており、高温時には一対の端子９ａ、９ａが非接触となる方向に変形されるように構成すれば良い。
【００８９】
一般に、バイメタルはサーミスタよりも安価であるため、熱検出センサ９としてバイメタルを用いることにより、サーミスタを用いる場合に比べて低コスト化を図ることが可能である。
【００９０】
さらに、例えば、１００°Ｃ前後の熱で変形する樹脂によってハウジング７ａを形成し、ハウジング７ａと一対の端子９ａ、９ａによって熱検出センサ９を構成しても良い。
【００９１】
例えば、一対の端子９ａ、９ａをそれぞれ熱で変形する樹脂により形成されたハウジング７ａによって保持し、通常の動作時には一対の端子９ａ、９ａが接しており、高温時には樹脂の変形によって一対の端子９ａ、９ａが非接触となる方向に変形されるように構成すれば良い。
【００９２】
なお、上記には二つの接続端子７ｂ、７ｂを有する回路側コネクタ７を例として示したが、接続端子７ｂが１つである場合には、図７に示すように、例えば、回路側コネクタ７Ａとして熱検出センサ９を接続端子７ｂの近傍に配置すれば良い。
【００９３】
また、一つの回路側コネクタ７に三つ以上の接続端子７ｂ、７ｂ、・・・が設けられている場合には、隣り合う各一対の接続端子７ｂ、７ｂ間にそれぞれ一つずつの熱検出センサ９、９、・・・を配置すれば良い。
【００９４】
このように隣り合う各一対の接続端子７ｂ、７ｂ間にそれぞれ一つずつの熱検出センサ９、９、・・・を配置することにより、複数の接続端子７ｂ、７ｂ、・・・が設けられた場合においても熱検出センサ９の数を減じて製造コストの低減を図ることが出来る。
【００９５】
上記した発明の最良の形態において示した各部の具体的な形状及び構造は、何れも本発明を実施する際の具体化のほんの一例を示したにすぎず、これらによって本発明の技術的範囲が限定的に解釈されることがあってはならないものである。
【図面の簡単な説明】
【００９６】
【図１】図２乃至図７と共に本発明を実施するための最良の形態を示すものであり、本図は、表示装置の概略斜視図である。
【図２】電源回路装置とランプとランプに接続されたランプ側コネクタとの構成を示す図である。
【図３】回路側コネクタの拡大断面図である。
【図４】電圧監視保護回路の構成図である。
【図５】変形例に係る電圧監視保護回路の構成図である。
【図６】別の変形例に係る電圧監視保護回路の構成図である。
【図７】一つの接続端子が設けられた回路側コネクタを示す拡大断面図である。
【符号の説明】
【００９７】
１…表示装置、２…筐体、３…ディスプレイ、４…ランプ、５…ランプ側コネクタ、５ａ…ボディ、５ｂ…接点端子、６…電源回路装置、７…回路側コネクタ、７ａ…ハウジング、７ｂ…接続端子、８…インバータ回路、９…熱検出センサ、９ａ…端子、１０…ノイズ除去回路、１１…電圧監視保護回路、１２…駆動回路、１３…インバータ制御ＩＣ、１４…ＤＣ電源、１５…高圧側抵抗、１６…低圧側抵抗、１７…コンパレータ、１８…コンデンサ、１９…ＰチャネルＭＯＳトランジスタ、２０…プルアップ抵抗、６Ａ…電源回路装置、１１Ａ…電圧監視保護回路、６Ｂ…電源回路装置、９Ｂ…熱検出センサ、１１Ｂ…電圧監視保護回路、７Ａ…回路側コネクタ
【図１】
2012109188.tif 000003
【図２】
2012109188.tif 000004
【図３】
2012109188.tif 000005
【図４】
2012109188.tif 000006
【図５】
2012109188.tif 000007
【図６】
2012109188.tif 000008
【図７】
2012109188.tif 000009